(57)【要約】【課題】  印刷システムの乾燥ローラのインターレースを調整できるシステム及び方法を提供する。【解決手段】  あるシステムは、熱源から熱を伝導し及びウェブが第１のローラの前面を第１の方向に移動するとき印刷媒体のウェブを乾燥する第１のローラを有する装置である。第１のローラのうち最後のローラは、ウェブを第２の方向に向ける。装置は、第１のローラの上方に距離を離されて配置されウェブを第２の方向に輸送する第２のローラも有する。装置は、第２のローラに第１のローラの間の空間を占有させ、第２の方向に移動するウェブが第１のローラの裏面に接触してウェブを更に乾燥するよう、第２のローラと第１のローラとの間の距離を減少する移動メカニズムを更に有する。【選択図】  図４
2016205813.tif 000002
【特許請求の範囲】
【請求項１】
第１の一連のローラであって、前記第１の一連のローラのうちの少なくとも１つは、熱源から熱を伝え、印刷媒体のウェブが前記第１の一連のローラの前面を第１の方向に移動するとき前記ウェブを乾燥するよう構成され、前記第１の一連のローラのうちの最後のローラは、前記ウェブを第２の方向に向ける、第１の一連のローラと、
前記第１の一連のローラの上方に距離をおいて配置され、前記第２の方向に前記ウェブを輸送するよう構成される第２の一連のローラと、
前記第２の一連のローラに前記第１の一連のローラの間の空間を占有させるよう前記第２の一連のローラと前記第１の一連のローラとの間の前記距離を減少して、前記第２の方向に移動する前記ウェブが前記第１の一連のローラの裏面に接触し前記ウェブを更に乾燥するよう構成される移動メカニズムと、
を有する装置。
【請求項２】
前記ウェブの前記第１の方向及び前記第２の方向は、実質的に反対方向である、
請求項１に記載の装置。
【請求項３】
前記第２の一連のローラが前記第１の一連のローラの上方に前記距離をおいて配置されるとき、前記第２の方向に移動する前記ウェブは、前記第１の一連のローラの裏面に接触しない、
請求項１に記載の装置。
【請求項４】
前記ウェブが前記第１の方向に移動するとき、前記ウェブの非マーク側は、前記第１の一連のローラの前面に接触する、請求項１に記載の装置。
【請求項５】
前記第２の一連のローラが前記第１の一連のローラの間の空間を占有する場合、前記ウェブが前記第２の方向に移動するとき、前記ウェブの非マーク側は、前記第１の一連のローラの裏面に接触する、
請求項４に記載の装置。
【請求項６】
前記ウェブが前記第２の方向に移動するとき、前記ウェブのマーク側は、前記第２の一連のローラに接触する、
請求項１に記載の装置。
【請求項７】
前記第１の一連のローラは半円構成に位置付けられ、前記ウェブが半円経路に従うアーチを前記第１の方向に移動するようにし、
前記第２の一連のローラは前記第１の一連のローラの上方に半円構成に位置付けられる、
請求項１に記載の装置。
【請求項８】
前記第１の一連のローラは螺旋構成に位置付けられ、前記ウェブが螺旋経路に従うアーチを前記第１の方向に移動するようにし、
前記第２の一連のローラは前記第１の一連のローラの前記螺旋構成の内側の螺旋構成に位置付けられる、
請求項１に記載の装置。
【請求項９】
システムであって、印刷システムのドライヤを有し、前記印刷システムのドライヤは、
印刷媒体のウェブを第１の経路に沿って輸送するよう構成される第１の一連のローラであって、前記第１の一連のローラのうちの少なくとも１つは前記ウェブに適用されたインクを乾燥するために前記ウェブを加熱するよう構成される、第１の一連のローラと、
前記第１の経路の上方にある第２の経路に沿って印刷媒体の前記ウェブを輸送するよう構成される第２の一連のローラと、
前記ウェブの移動方向に垂直な方向に、前記第１の一連のローラに対して前記第２の一連のローラを調整するよう、移動メカニズムに指示するよう構成される制御部と、
を有する、システム。
【請求項１０】
前記印刷システムのオペレータから命令を受けるよう構成されるグラフィカルユーザインタフェース、
を更に有する請求項９に記載のシステム。
【請求項１１】
前記制御部は、前記命令が前記ウェブに加えられる熱を増加するよう示すとき、前記第１の一連のローラと前記第２の一連のローラとの間のインターレースの量を増大するよう、前記移動メカニズムに指示するよう構成される、請求項１０に記載のシステム。
【請求項１２】
前記第１の一連のローラ及び前記第２の一連のローラがインターレースしているとき、前記第２の一連のローラは、前記第１の一連のローラと前記ウェブとの間の空間に配置され、前記ウェブは、前記ウェブが前記第２の経路に沿って移動するとき再び前記第１の一連のローラに接触する、
請求項１１に記載のシステム。
【請求項１３】
前記制御部は、前記命令が前記ウェブに加えられる熱を減少するよう示すとき、前記第１の一連のローラと前記第２の一連のローラとの間のインターレースの量を減少するよう、前記移動メカニズムに指示するよう構成される、
請求項１０に記載のシステム。
【請求項１４】
前記制御部は、前記命令が前記ウェブの輸送は停止されるべきであると示すとき、前記第１の一連のローラ及び前記第２の一連のローラを非インターレース位置に移動するよう、前記移動メカニズムに指示するよう構成される、
請求項１０に記載のシステム。
【請求項１５】
前記第１の一連のローラ及び前記第２の一連のローラが非インターレース位置にあるとき、前記第２の一連のローラは、前記第１の一連のローラの間の空間を占有せず、前記ウェブは、前記ウェブが前記第２の経路に沿って移動するとき前記第１の一連のローラに接触しない、
請求項９に記載のシステム。
【請求項１６】
前記第１の経路は半円パターンを有する、
請求項９に記載のシステム。
【請求項１７】
前記第２の経路は、前記第１の経路の上方にある半円パターンを有する、
請求項１６に記載のシステム。
【請求項１８】
前記第１の経路は螺旋パターンを有する、
請求項９に記載のシステム。
【請求項１９】
前記第２の経路は、前記第１の経路の内側にある螺旋パターンを有する、
請求項１８に記載のシステム。
【請求項２０】
ウェブの方向を変え、加熱された表面により前記ウェブに適用されたインクを加熱するよう構成される熱伝導ローラと、
前記熱伝導ローラの近くに配置される輸送ローラであって、前記輸送ローラは、前記熱伝導ローラの近くの第１の位置と前記熱伝導ローラから離れた第２の位置との間で、前記ウェブの移動方向に垂直な方向に動くよう構成される、輸送ローラと、
前記輸送ローラに結合され、前記ウェブと前記熱伝導ローラとの間の熱接触の量を増大するために前記輸送ローラを前記第１の位置に移動し、及び前記ウェブと前記熱伝導ローラとの間の熱接触の量を減少するために前記輸送ローラを前記第２の位置に移動するよう構成される移動メカニズムと、
を有するシステム。
【発明の詳細な説明】
【技術分野】
【０００１】
本発明は、印刷システムの分野に関し、特に印刷乾燥システムに関する。
【背景技術】
【０００２】
大量の印刷を要する企業又は他のエンティティは、通常、毎分数百ページの印刷が可能なプロダクションプリンタを使用する。紙のような印刷媒体のウェブは、連続するシートとして大きなロール且つ解ける形式で格納される。印刷中、ウェブは、ウェブにピクセル画像を形成するために、特定の間隔で小さなインク滴を放出するプリントヘッドの下を素早く通過する。ウェブは、次に、乾燥され、切断されて、印刷物を生成し得る。
【０００３】
短時間に渡り大量の熱を加えるドライヤでは、印刷媒体が正しく乾燥されることを保証するために問題が残っている。熱が多すぎると、媒体が焦げ又は焼けてしまう。一方で、熱が少なすぎると、ジョブの印刷品質を低下させるインク染み又は裏移りを生じてしまう。さらに、高い熱交換率の間に媒体に加えられる不均一なストレスに起因して、媒体のカール又は皺のような、ドライヤにおける他の問題が生じてしまうことがある。このような問題は、紙が制御されずに及び不均一な方法で冷却されるときに、増幅され得る。
【発明の概要】
【０００４】
本願明細書に記載の実施形態は、印刷システムの乾燥ローラのインターレースの調整を提供する。一連のローラは、媒体が乾燥システムの中を移動するとき、媒体のウェブを輸送する。ローラのうちの１又は複数は、媒体に最近適用されたインクを乾燥するために所望の温度まで加熱されても良い。ローラの第１のセットは、ウェブを第１の方向に輸送する。ローラの第２のセットは、概して第１の方向と反対の第２の方向にウェブを輸送する。ローラは、ローラの第１のセット及びローラの第２のセットがインターレースするように、調整可能である。インターレースされるとき、ウェブは、ウェブが第２の方向に移動するときウェブを更に乾燥するために、ローラの第１のセットとローラの第２のセットとの間を曲がりくねったパターンで第２の方向に移動する。
【０００５】
一実施形態は、第１のローラであって、第１のローラのうちの少なくとも１つは熱源から熱を伝導し及びウェブが第１のローラの前面を第１の方向に移動するとき印刷媒体のウェブを乾燥するよう構成される、第１のローラを有する装置である。第１のローラのうち最後のローラは、ウェブを第２の方向に向ける。装置は、第１のローラの上方に距離を離されて配置されウェブを第２の方向に輸送する第２のローラも有する。装置は、第２のローラに第１のローラの間の空間を占有させ、第２の方向に移動するウェブが第１のローラの裏面に接触してウェブを更に乾燥するよう、第２のローラと第１のローラとの間の距離を減少する移動メカニズムを更に有する。
【０００６】
別の実施形態は、印刷システムのドライヤを有するシステムである。ドライヤは、第１の経路にそって印刷媒体のウェブを輸送するよう構成される。第１のローラのうちの少なくとも１つは、ウェブに適用されたインクを乾燥するために、ウェブを加熱するよう構成される。ドライヤは、第１の経路の上方の第２の経路に沿って印刷媒体のウェブを輸送するよう構成される。システムは、第２のローラを第１のローラに対してウェブの移動方向と垂直な方向に調整するよう、移動メカニズムに指示するよう構成される制御部も有する。
【０００７】
上述の概要は、本願明細書の幾つかの態様の基本的な理解を提供する。この概要は、本願明細書の広範囲に及ぶ概略ではない。本願明細書の主要な又は重要な要素を特定することも、本願明細書の特定の実施形態の範囲若しくは特許請求の範囲を描くことも意図していない。この概要の唯一の目的は、本願明細書の幾つかの概念を後述する更なる詳細な説明の前置きとして簡略化した形式で表すことである。他の例示的な実施形態（例えば、前述の実施形態に関連する方法及びコンピュータ可読媒体）は、以下に記載され得る。
【図面の簡単な説明】
【０００８】
以下に本発明の幾つかの実施形態を、単に例として、添付の図面を参照して説明する。全図を通じて、同じ参照符号は同じ要素又は同種の要素を表す。
【図１】例示的な連続紙印刷システムを示す。
【図２】例示的な実施形態における乾燥システムを示す。
【図３】例示的な実施形態における一連のローラを有する乾燥システムの側面図を示す。
【図４】例示的な実施形態におけるインターレース構成の一連のローラを有する乾燥システムの側面図を示す。
【図５Ａ】例示的な実施形態における非インターレース位置にある乾燥システムのローラを示す。
【図５Ｂ】例示的な実施形態における僅かにインターレースされた位置にある乾燥システムのローラを示す。
【図５Ｃ】例示的な実施形態における実質的にインターレースされた位置にある乾燥システムのローラを示す。
【図６】別の例示的な実施形態における一連のローラを有する乾燥システムの側面図を示す。
【図７】別の例示的な実施形態における一連の非インターレースローラを有する乾燥システムの斜視図を示す。
【図８】別の例示的な実施形態における、ウェブの乾燥を調整する一連のインターレースローラを有する乾燥システムの斜視図を示す。
【図９】別の例示的な実施形態における一連の非インターレースローラを有する乾燥システムの斜視図を示す。
【図１０】別の例示的な実施形態における一連のインターレースローラを有する乾燥システムの斜視図を示す。
【発明を実施するための形態】
【０００９】
図面及び以下の説明は、特定の例示的な実施形態を示す。従って、当業者は種々のアレンジを考案できることが理解される。これらのアレンジは、本願明細書に明示的に記載又は示されないが実施形態の原理を具現化し実施形態の範囲に包含される。さらに、本願明細書に記載の例は、実施形態の原理を理解するのを助けることを意図しており、特定の記載された例及び条件等に限定されるものではない。結果として、本発明の概念は、以下に記載の特定の実施形態又は例に限定されず、請求の範囲及びそれらの等価物によって定められる。
【００１０】
図１は、例示的な連続紙印刷システム１００を示す。印刷システム１００は、連続型印刷媒体（例えば、紙）のウェブ１２０にインクを適用するよう構成されるプロダクションプリンタ１１０を有する。本願明細書で用いられるように、用語「インク」は、任意の適切なマーキング流体（例えば、水性インク、油性塗料、等）を参照するために用いられる。プリンタ１１０は、シアン（Ｃ）、マゼンダ（Ｍ）、イエロー（Ｙ）、キー（Ｋ）ブラック、ホワイト、又はクリアインクのような有色インクを適用するインクジェットプリンタを有しても良い。プリンタ１１０によりウェブ１２０に適用されるインクは湿っている。これは、インクが更なる処理の前に乾いていない場合、インクが染みる可能性があることを意味する。１又は複数のローラ１３０は、ウェブ１２０が印刷システム１００を通って移動するとき、ウェブ１２０を位置決めする。印刷システム１００は、ウェブ１２０に適用されるインクを乾燥するよう動作する任意のシステム、機器、装置又はコンポーネントである乾燥システム１４０も有する。
【００１１】
図２は、例示的な実施形態における乾燥システム１４０を示す。乾燥システム１４０は、ドラム２１０と、放射エネルギ源２２０と、を有する。動作中、ウェブ１２０は、印刷エンジンによりインクをマークされ、乾燥システム１４０に入り、放射エネルギ源２２０の熱転送により所望の温度まで加熱される回転ドラム２１０の外表面の回りに巻き付く。放射エネルギ源２２０は、ドラム２１０に熱を放射するよう動作する任意のシステム、コンポーネント、装置又はそれらの組合せである。放射エネルギ源２２０の一例は、赤外線（ＩＲ）又は近赤外線（ＮＩＲ）エネルギ及び熱を放射する太陽灯のアレイである。
【００１２】
従来の乾燥システムは、通常、ウェブに適用されるインクを乾燥するために１つの大きな乾燥ドラムを有する。これらのシステムでは、ウェブが接触するドラムの円周部分が一定でないので、印刷媒体のウェブに適用される温度を調整するために比較的低い程度の制御しかない。したがって、従前のシステムは、ドラムの温度を上げる又は下げるために、エネルギ源の出力及びウェブに適用される熱を調整することに関して制限がある。
【００１３】
乾燥システム１４０は、したがって、ウェブ１２０に適用される乾燥温度の制御を増大するために、一連のローラにより拡張される。図３は、例示的な実施形態における、ウェブ１２０を乾燥するための一連のローラを有する乾燥システムの側面図である。印刷の後、ウェブ１２０は、適用されたインクで湿っているマーク側１２２及び湿ったインクを有しない非マーク側１２４と共に乾燥システム１４０に入る。ウェブ１２０は、図３に示す矢印の方向に、乾燥システム１４０の中のウェブ１２０の輸送のために回転する一連のローラにより引っ張られている。１又は複数のローラ３１０−３２６は、ウェブ１２０に適用されたインクを乾かすために（図３に図示しない放射エネルギ源２２０により）加熱される。
【００１４】
概して、ローラ３１０−３２６の個々のサイズは、上述の単一の大きなドラムドライヤと比べて小さい。ローラ３１０−３２６は集団で、大きなドラムドライヤの空間よりも小さな設置面積を有する空間しか占有しない。さらに、以下の説明で明らかなように、乾燥システム１４０は、乾燥システム１４０内の小さな空間でのウェブ１２０の精細な乾燥制御のために種々の配置及び数のローラ３１０−３２６を有しても良い。
【００１５】
図３に示すように、ローラ３１０−３２６は、概して、第１の一連のローラ３１０−３１４と、第２の一連のローラ３２０−３２６とを有する。第１の一連のローラ３１０−３１４は、乾燥システム１４０の入口でウェブ１２０を受け、第１の方向に（例えば図３の左から右へ）ウェブ１２０を輸送する。第１の一連のローラ３１０−３１４の中でウェブ１２０を最後に受ける転向ローラ３１４は、ウェブ１２０の移動方向を逆転する。第２の一連のローラ３２０−３２６は、転向ローラ３１４からでウェブ１２０を受け、第１の方向と反対方向である第２の方向に（例えば図３の右から左へ）ウェブ１２０を輸送する。第２の一連のローラ３２０−３２６の中でウェブ１２０を最後に受ける出口ローラ３２６は、ウェブ１２０が乾燥システム１４０を出る前に、ウェブ１２０の移動方向を変えても良い。
【００１６】
第２の一連のローラ３２０−３２６は、概して、乾燥システム１４０の中で第１の一連のローラ３１０−３１４の上方に配置される。したがって、ウェブが第２の方向に（例えば図３の右から左へ）移動するとき、ウェブ１２０は、第１の一連のローラ３１０−３１４の上方を移動するがそれに接触しない。ウェブ１２０の乾燥における制御を増大するために、乾燥システム１４０は、第１の一連のローラ３１０−３１４及び第２の一連のローラ３２０−３２６をインターレースするよう更に拡張されても良い。
【００１７】
図４は、例示的な実施形態におけるインターレース構成の一連のローラを有する乾燥システムの側面図を示す。乾燥システム１４０のローラ３１０−３２６がインターレース構成であるとき、ウェブ１２０は、第２の方向に移動するとき、第１の一連のローラ３１０−３１４に接触する。乾燥システム１４０は、したがって、ウェブ１２０の接触加熱される表面の量を変えるよう動作可能である。
【００１８】
ローラ３１０−３２６のインターレースは、ウェブ１２０が乾燥システム１４０の入口から出口へ移動するとき反対方向に回転するローラ同士の位置関係を表す。乾燥システム１４０は、ウェブ１２０に加えられる熱において対応する調整を生じさせるこれらの位置関係を調整するよう構成される。したがって、乾燥システム１４０は、第２の一連のローラ３２０−３２６のうちの１又は複数に対して、第１の一連のローラ３１０−３１４のうちの１又は複数の距離を調整するための、任意のシステム、装置、機器又はそれらの組合せである移動メカニズム４５０を有しても良い。移動メカニズム４５０の例は、限定ではないが、空気式装置、油圧装置、モータ、電気線形アクチュエータ、等を含む。移動メカニズム４５０は、第１の一連のローラ３１０−３１４、第２の一連のローラ３２０−３２６、又はその両者に機械的に結合されても良い。
【００１９】
図５Ａ〜５Ｃは、乾燥システム１４０の中の向かい合って回転するローラの様々な位置を示す。例えば、隣接するローラ３１０−３１２は加熱され、乾燥システム１４０を通じて第１の方向にウェブ１２０を輸送するために反時計回りに回転すると仮定する。さらに、ローラ３２２は、乾燥システム１４０を通じて第２の方向にウェブ１２０を輸送するために時計回りに回転すると仮定する。向かい合って回転するローラ同士のインターレースの量は、隣接するローラ３１０−３１２に接続する境界３１１の関して表すことができる。境界３１１は、ウェブ１２０を次々に同じ方向に輸送するよう動作する２つの隣接するローラの外周に接する接線と考えることができる。この接線は、隣接するローラの半径の各々と直交する。
【００２０】
図５Ａは、例示的な実施形態における非インターレース位置にある、乾燥システムのローラを示す。非インターレース位置では、ローラ３２２は、概して、境界３１１の上方に幾らか離れて配置される。したがって、ローラ３２２は、ウェブ１２０が第２の方向に移動するとき、隣接ローラ３１０−３１２に接触するようウェブ１２０を押圧しない。
【００２１】
図５Ｂは、例示的な実施形態における僅かにインターレースされた位置にある、乾燥システムのローラを示す。ローラは、乾燥システム１４０の中で一方向に回転するローラ（例えば、ローラ３２２）が、乾燥システム１４０の中で別の方向に回転するローラ（例えば、ローラ３１０−３１２）の境界３１１を横切る又はそれと交差するとき、インターレース位置にあると表わすことができる。インターレース位置では、ローラ３２２は、ウェブ１２０が第２の方向に移動するとき、隣接ローラ３１０−３１２に接触するようウェブ１２０を押圧する。
【００２２】
乾燥システム１４０は、向かい合って回転するローラが境界３１１を横切って超える量を制御することにより、ウェブ１２０が第２の方向に移動するときウェブ１２０に加えられる熱の量を制御するよう構成される。図５Ｂに示すように僅かにインターレースされた位置では、ローラ３２２は、境界３１１を比較的短い距離だけ超えて、ローラ３１０−３１２の間の空間へと、移動される。したがって、ローラ３１０−３１２の比較的小さな円周部分は、ウェブ１２０が第２の方向に移動するときウェブ１２０に接触し、相応して少し増加した熱が乾燥システム１４０の中のウェブ１２０に加えられる。
【００２３】
図５Ｃは、例示的な実施形態における実質的にインターレースされた位置にある乾燥システムのローラを示す。この位置では、ローラ３２２は、境界３１１を比較的長い距離だけ超えて、ローラ３１０−３１２の間の空間へと、移動される。ウェブ１２０が第２の方向に移動するとき、ローラ３２２の位置は、ウェブ１２０を下方向に押圧して、ウェブ１２０に加えられる熱を増加するために、ローラ３１０−３１２のより大きな円周部分を包み込ませる。
【００２４】
したがって、ウェブ１２０に加えられる熱を比較的大きく増加するために、乾燥システム１４０は、ある方向に回転するローラ（例えば、第２の一連のローラ３２０−３２４）を、別の方向に回転する複数のローラ（例えば、第１の一連のローラ３１０−３１４）の間の空間を占有するよう、インターレース境界線を比較的長い距離を超えて移動することにより、複数のローラをインターレースして、巻き付き角を増大し、したがってウェブ１２０と第１の一連のローラ３１０−３１４の裏側との間の熱接触を増大しても良い。代替で、ウェブ１２０に加えられる熱の増大を小さくするために、乾燥システム１４０は、巻き付き角を減少して、少数のローラをインターレースする、及び／又はインターレース境界線を比較的少しの距離だけ超えてローラをインターレースしても良い。
【００２５】
印刷システム１００及び／又は乾燥システム１４０は、乾燥条件、ウェブ特性、インク量、オペレータ入力、等に基づきローラを位置決めするよう移動メカニズム４５０に指示する制御部を更に有しても良い。印刷システム１００又は乾燥システム１４０は、オペレータ入力又は制御部に指示するための命令を受信するためにグラフィカルユーザインタフェース（ＧＵＩ）も有しても良い。グラフィカルユーザインタフェースは、乾燥システム１４０の１又は複数のローラの間のインターレースの量を表示し、及び／又は乾燥システム１４０の中のローラがインターレースされているか又は非インターレースされているかを示す現在状態を表示しても良い。制御部は、入力、命令、又は乾燥システムで保守手順（例えば、用紙装着及びローラクリーニング）が実行されるべきである、ウェブ１２０の輸送が停止されるべきである、非印刷期間が生じるべきである（例えば、ウェブがインターレースされたローラの間に静止するとき、ウェブの曲がりを防ぐため）、又はウェブ１２０の更なる乾燥が不要である、という決定に応じて、乾燥システム１４０の１又は複数のローラを非インターレース位置に離すよう移動メカニズム４５０に指示しても良い。代替又は追加で、制御部は、オペレータ入力、命令、又はウェブ１２０の乾燥を増大することが望ましいという決定に応答して、乾燥システム１４０の１又は複数のローラをインターレース位置にするよう移動メカニズム４５０に指示しても良い。例えば、制御部は、グラフィカルユーザインタフェースで受信した命令に応答して、ウェブ１２０に加えられる熱の対応する増加又は減少を生じるために、巻き付き角又は１又は複数のローラの間のインターレースの量を調整するよう、移動メカニズム４５０に指示しても良い。
【００２６】
図６は、別の例示的な実施形態における一連のローラを有する乾燥システム１４０の側面図である。図６は、乾燥システム１４０のローラ（例えば、ローラ３０２−３２８）は、小さな空間の中で幾つかの調整可能な表面に渡りウェブ１２０を輸送するよう構成されても良い。第１の一連のローラ３１０−３１４は、反時計回りに回転し、乾燥システム１４０の中に半円形パターンに配置される。第２の一連のローラ３１６−３２８は、時計回りに回転し、第１の一連のローラ３０２−３１４の上方に半円形パターンに配置される。１又は複数のローラ３０２−３２８は、それに結合され又はその近くに配置されて加熱効率を上げるために放射熱をウェブ１２０に向けて反射する関連する反射部材３３０を有しても良い。
【００２７】
乾燥システム１４０は、ウェブ１２０の最適な乾燥制御のために、様々なインターレース又は非インターレース位置に、第１の一連のローラ３１０−３１４のうちの１又は複数と第２の一連のローラ３１６−３２８のうちの１又は複数との間の相対位置を調整するよう構成される。図7は、別の例示的な実施形態における一連の非インターレースローラを有する乾燥システム１４０の斜視図である。図８は、別の例示的な実施形態における一連のインターレースローラを有する乾燥システム１４０の斜視図である。
【００２８】
図６〜８のローラ３０２−３２８は、乾燥システム１４０の中で湾曲したパターンに配置されるので、乾燥システム１４０は、ウェブ１２０の湾曲した移動経路に垂直な様々な方向に、ローラの個々のインターレース位置を調整するよう構成されても良い。例えば、第２の一連のローラ３１６−３２８のうちの少なくとも幾つかは、ウェブ１２０の移動方向に平行な方向に関して、第１の一連のローラ３０２−３１４からオフセットされても良い。乾燥システム１４０は、このオフセットされた向かい合って回転するローラを、ウェブ１２０の移動方向に垂直な方向に互いの間の空間へと移動することにより、ウェブ１２０の接触乾燥を調整する。
【００２９】
インターレースされないとき、第２の一連のローラ３１６−３２８は、乾燥システム１４０の中でウェブ１２０の移動方向と直交する方向に第１の一連のローラ３０２−３１４から離れて配置される。ウェブが乾燥システム１４０に入ると、ウェブ１２０の非マーク側１２４は、ウェブ１２０を順方向湾曲経路で輸送する第１の一連のローラ３１０−３１４のうちの各々の外周の一部と接触する。順方向でウェブ１２０と接触する第１の一連のローラ３１０−３１４のうちの各々の円周部分は、本願明細書で、ローラ３１０−３１４の前面として参照され得る。第２の一連のローラ３１６−３２８は、第１の一連のローラ３１０−３１４の上方にある反対方向湾曲経路でウェブ１２０を輸送する。
【００３０】
ウェブ１２０のマーク側１２２に適用されたインクは、それが第２の一連のローラ３１６−３２８に到達し接触するときまでに染みないように、十分に乾燥され得るが、多くの理由から、十分な印刷品質のためにウェブ１２０に更なる熱転送をすることが望ましい場合がある。ウェブ１２０に加えられる熱の量を調整するために、乾燥システム１４０は、上述のように１又は複数のローラ３０２−３２８をインターレースする。したがって、移動メカニズム４５０は、第２の一連のローラ３１６−３２８のうちの１又は複数と第１の一連のローラ３１０−３１４のうちの１又は複数との間の距離を増大し又は減少しても良い。
【００３１】
インターレースされるとき、第２の一連のローラ３１６−３２８と第１の一連のローラ３１０−３１４との間の距離は減少される。ウェブ１２０の非マーク側１２４は、ウェブ１２０が概して逆方向に移動するが、第２の一連のローラ３１６−３２８と第１の一連のローラ３１０−３１４との間でジグザグパターンでインターリーブするとき、第１の一連のローラ３１０−３１４のうちの各々の外周の一部と接触する。逆方向でウェブ１２０と接触する第１の一連のローラ３１０−３１４のうちの各々の円周部分は、本願明細書で、ローラ３１０−３１４の裏面として参照され得る。
【００３２】
したがって、乾燥システム１４０がインターレースローラにより構成されるとき、ウェブ１２０は、順方向で第１の一連のローラ３１０−３１４のうちの各々の前面接触により加熱される。さらに、ウェブ１２０は、ウェブ１２０が逆方向に移動するとき、第１の一連のローラ３０２−３１４のうちの各々の裏面との接触により加熱される。したがって、乾燥システム１４０の中のウェブ１２０と第１の一連のローラ３１０−３１４との間の接触の合計量は増大され、したがってウェブ１２０に加えられる合計の熱も、乾燥システム１４０が非インターレースローラにより構成されるときに比べて増大される。
【００３３】
図９は、更に別の例示的な実施形態における一連のローラを有する乾燥システム１４０の斜視図である。図１０は、更に別の例示的な実施形態における、インターレース位置にある一連のローラを有する乾燥システム１４０の斜視図である。図９〜１０に示すように、ローラ９０１―９３９は、乾燥システム１４０の中で螺旋パターンに位置付けられる。ローラ９０１−９３９の螺旋パターンは、比較的小さな空間で、乾燥システム１４０の中のウェブ１２０の熱接触可能な表面の数を増大する。
【００３４】
例えば、第１の一連のローラ９０１−９２１は、加熱され、ウェブ１２０を第１の螺旋経路に沿って順方向に輸送すると仮定する。さらに、第２の一連のローラ９２２−９３９は、周囲温度であり、第１の螺旋経路の内側にある第２の螺旋経路に沿って逆方向にウェブ１２０を輸送すると仮定する。第１の一連のローラ９０１−９２１の各々の表面は種々の温度に別個に加熱できるので、ウェブ１２０が乾燥システム１４０に入り順方向に移動するとき、（例えば、単一のドラムドライヤと比べて）ウェブ１２０の乾燥について高度な制御が可能である。ローラ９０１−９３９が非インターレース構成であるとき、ウェブ１２０が逆方向に移動するためにローラ９２１で方向を変えた後は、ウェブ１２０と第１の一連のローラ９０１−９２１との間の接触によりウェブ１２０に更なる熱は加えられない。乾燥システム１４０は、螺旋パターンと直交する方向における第１の一連のローラ９０１−９２１と第２の一連のローラ９２２−９３９との間の関与の量を調整して、第１の一連のローラ９０１−９２１を介してウェブ１２０に転送される熱に対応する調整を生じさせても良い。
【００３５】
乾燥システム１４０のローラは、種々の構成で熱エネルギを転送しても良い。例えば、ローラは、ウェブ１２０の所望の状態を提供するために任意の数の組合せで、加熱され、冷却され、又は周囲温度であっても良い。また、乾燥システム１４０のローラは、任意の数の構成で駆動され及び／又はアイドルにされても良い。加熱されたローラは、ローラ３１０−３２６の空洞の周囲に配置される及び／又はローラ３１０−３２６の外表面の外側に配置される、放射エネルギ源２２０のような放射エネルギ源を有しても良い。一実施形態では、第１の一連のローラのうちの１又は複数は加熱され、第２の一連のローラのうちの１又は複数は周囲温度であり又は冷却されても良い。移動メカニズム４５０に指示する制御部は、ウェブ１２０が乾燥システム１４０の中で加熱され及び／又は冷却されるレートを制御可能に調整するために、どのローラが加熱され、周囲温度であり又は冷却されるかに関する情報を設定されても良い。
【００３６】
本願明細書は特定の実施形態を説明したが、本発明の概念の範囲はこれらの特定の実施形態に限定されない。本発明の概念の範囲は、以下の請求の範囲およびその等価物により定められる。
【符号の説明】
【００３７】
１００  連続紙印刷システム
１１０  プロダクションプリンタ
１２０  ウェブ
１３０  ローラ
１４０  乾燥システム
２１０  ドラム
２２０  放射エネルギ源
３０２−３２６  ローラ
３３０  反射部材
４５０  移動メカニズム
９０１−９３９  ローラ
【図１】
2016205813.tif 000003
【図２】
2016205813.tif 000004
【図３】
2016205813.tif 000005
【図４】
2016205813.tif 000006
【図５Ａ】
2016205813.tif 000007
【図５Ｂ】
2016205813.tif 000008
【図５Ｃ】
2016205813.tif 000009
【図６】
2016205813.tif 000010
【図７】
2016205813.tif 000011
【図８】
2016205813.tif 000012
【図９】
2016205813.tif 000013
【図１０】
2016205813.tif 000014